(57)【要約】【課題】記録画像のプレビュー画像において、前記プレビュー画像の背景画像の色か前記記録画像に設定された色かが区別できない場合があった。【解決手段】記録画像２４ａ、２４ｂ、２４ｃのプレビュー画像２０を表示する表示部１９を備え、前記表示部１９は、記録画像２４ａ、２４ｂ、２４ｃのデータが色情報とは別に透明情報を有している場合に、前記透明情報を保持したまま前記表示部１９に前記記録画像２４ａ、２４ｂ、２４ｃのプレビュー画像２０を表示する。【選択図】図４
2015049257.tif 000002
【特許請求の範囲】
【請求項１】
記録画像のプレビュー画像を表示する表示部を備え、
前記表示部は、前記記録画像のデータが色情報とは別に透明情報を有している場合に、前記透明情報を保持したまま前記表示部に前記記録画像のプレビュー画像を表示することを特徴とする画像表示装置。
【請求項２】
請求項１に記載の画像表示装置において、
前記プレビュー画像の背景画像の色の変更を受付ける受付け部を備えることを特徴とする画像表示装置。
【請求項３】
請求項２に記載の画像表示装置において、
前記記録画像の記録設定に応じて自動的に前記プレビュー画像の背景画像の色を変更する変更部を備え、
前記受付け部は、前記変更部による前記プレビュー画像の背景画像の色の変更を受付けることを特徴とする画像表示装置。
【請求項４】
請求項１から３のいずれか１項に記載の画像表示装置において、
前記表示部は、前記プレビュー画像の背景画像としての被記録媒体の形状を表示可能であることを特徴とする画像表示装置。
【請求項５】
請求項１から４のいずれか１項に記載の画像表示装置において、
前記表示部は、前記被記録媒体における前記記録画像の記録位置を前記プレビュー画像に表示可能であることを特徴とする画像表示装置。
【請求項６】
請求項１から５のいずれか１項に記載の画像表示装置と、
前記記録画像を被記録媒体に記録する記録ヘッドと、を備えることを特徴とする記録装置。
【請求項７】
記録画像のプレビュー画像を表示部に表示させるプログラムであって、
前記記録画像のデータが色情報とは別に透明情報を有している場合に、前記透明情報を保持したまま前記表示部に前記記録画像のプレビュー画像を表示させることを特徴とするプログラム。
【請求項８】
記録画像のプレビュー画像を表示部に表示させる表示方法であって、
前記記録画像のデータが色情報とは別に透明情報を有している場合に、前記透明情報を保持したまま前記表示部に前記記録画像のプレビュー画像を表示させることを特徴とする表示方法。
【発明の詳細な説明】
【技術分野】
【０００１】
本発明は、画像表示装置、記録装置、プログラム及び表示方法に関する。
【背景技術】
【０００２】
従来から、画像に関する情報を表示する画像表示装置が使用されている。例えば、特許文献１及び２には、背景色と同じ色の記録画像の領域の色を変換する技術が開示されている。  
また、特許文献３には、画像の表示色又は背景色を変更する際に、画像の表示色と背景色とが同一又は同系色であるか否かを判定し、同一又は同系色でない場合のみ変更を有効にする技術が開示されている。  
また、特許文献４には、プラテンにセットされたＴシャツをＣＣＤセンサーにより読みとって表示させる技術が開示されている。
【先行技術文献】
【特許文献】
【０００３】
【特許文献１】特開２００７−２８８７７３号公報
【特許文献２】特開２００７−２８８７７２号公報
【特許文献３】特開平８−２１１８６０号公報
【特許文献４】特開２００５−４１１４６号公報
【発明の概要】
【発明が解決しようとする課題】
【０００４】
しかしながら、このような画像表示装置のうち、記録装置により記録媒体に記録される記録画像のプレビュー画像を表示可能な画像表示装置においては、ユーザーが前記プレビュー画像をみたときに、記録画像が前記プレビュー画像の背景画像と重なっている部分において、前記背景画像の色（背景色）が表示された部分と前記記録画像に設定された色が表示された部分とが区別できない場合があった。  
なお、特許文献１及び２には、プレビュー画像における記録画像の色と背景画像の色との関係に関する記載及び示唆はない。  
また、特許文献３は、画像の表示色又は背景色を変更する際の該変更の有効か無効かを判定するにすぎず、前記プレビュー画像の色が、背景画像の色か前記記録画像に設定された色かを区別する技術ではない。  
また、特許文献４は、前記プレビュー画像の背景画像の色を変更可能な構成ではなく、前記プレビュー画像の背景画像の色か前記記録画像に設定された色かを区別する技術ではない。
【０００５】
そこで、本発明の目的は、記録画像のプレビュー画像において、表示部に表示された前記プレビュー画像の色が、前記プレビュー画像の背景画像の色か前記記録画像に設定された色かを区別可能にすることである。
【課題を解決するための手段】
【０００６】
上記課題を解決するための本発明の第１の画像表示装置は、記録画像のプレビュー画像を表示する表示部を備え、前記表示部は、前記記録画像のデータが色情報とは別に透明情報を有している場合に、前記透明情報を保持したまま前記表示部に前記記録画像のプレビュー画像を表示することを特徴とする。
【０００７】
従来、一般的な被記録媒体は白色が多く、記録画像のプレビュー画像の背景画像の色も白色であった。このため、記録画像のプレビュー画像において、前記プレビュー画像の特に淡色で表示される部分の色が、背景画像の色を透過しているのか、背景画像の色を透過しているのではなく前記記録画像に設定された色なのか、が区別できない場合があった。  
本態様によれば、前記透明情報を保持したまま前記表示部に前記記録画像のプレビュー画像を表示する。このため、例えば、前記プレビュー画像の背景画像の色を変更すれば、背景画像の色を透過している部分は、前記プレビュー画像の背景画像の色の変更に伴って色が変更される。一方、背景画像の色を透過しているのではなく前記記録画像に設定された色の部分は、前記プレビュー画像の背景画像の色を変更しても、色が変更されない。したがって、記録画像のプレビュー画像において、前記プレビュー画像の色が、前記プレビュー画像の背景画像の色か前記記録画像に設定された色かを区別することができる。  
ここで、「前記記録画像のデータが色情報とは別に透明情報を有している場合」とは、例えば、前記データが、一般的な色情報であるＲＧＢ値の情報の他に、透過度パラメーター等の透明情報を有している場合等が挙げられる。なお、透明情報を有していれば、透過度が０のデータを含んでいてもよい。透過度が０とは、不透明という意味である。  
また、「前記透明情報を保持したまま」とは、「前記記録画像のデータに前記透明情報があった場合に、該透明情報が色情報に変換されて消滅することなく」という意味である。
【０００８】
本発明の第２の態様の画像表示装置は、前記第１の態様において、前記プレビュー画像の背景画像の色の変更を受付ける受付け部を備えることを特徴とする。
【０００９】
本態様によれば、前記プレビュー画像の背景画像の色の変更を受付ける受付け部を備える。このため、前記プレビュー画像の背景画像の色を変更することができる。したがって、記録画像のプレビュー画像において、前記プレビュー画像の背景画像の色か前記記録画像に設定された色かを区別することができる。
【００１０】
本発明の第３の態様の画像表示装置は、前記第２の態様において、前記記録画像の記録設定に応じて自動的に前記プレビュー画像の背景画像の色を変更する変更部を備え、前記受付け部は、前記変更部による前記プレビュー画像の背景画像の色の変更を受付けることを特徴とする。
【００１１】
ここで、「前記記録画像の記録設定」とは、所謂記録モードに対応し、例えば、ホワイトインクのみ使用して記録するモード、ホワイトインクとカラーインクとを使用して記録するモード、カラーインクのうちいずれかの色のみを用いて記録するモード等が挙げられる。なお、該記録設定は、ユーザーがユーザーインターフェース等を用いて行うことができる。  
本態様によれば、前記記録画像の記録設定に応じて自動的に前記プレビュー画像の背景画像の色を変更する変更部を備え、前記受付け部は前記変更部による前記プレビュー画像の背景画像の色の変更を受付ける。このため、記録画像のプレビュー画像において、前記プレビュー画像の背景画像の色か前記記録画像に設定された色かを区別するための前記プレビュー画像の背景画像の色の変更を自動的に行うことができる。
【００１２】
本発明の第４の態様の画像表示装置は、前記第１から第３のいずれか１つの態様において、前記表示部は、前記プレビュー画像の背景画像としての被記録媒体の形状を表示可能であることを特徴とする。
【００１３】
本態様によれば、前記表示部は、前記プレビュー画像の背景画像としての被記録媒体の形状を表示可能である。このため、ユーザーは、前記被記録媒体に前記記録画像が記録された状態を、より正確に記録前に想像することができる。
【００１４】
本発明の第５の態様の画像表示装置は、前記第１から第４のいずれか１つの態様において、前記表示部は、前記被記録媒体における前記記録画像の記録位置を前記プレビュー画像に表示可能であることを特徴とする。
【００１５】
本態様によれば、前記表示部は、前記被記録媒体における前記記録画像の記録位置を前記プレビュー画像に表示可能である。このため、ユーザーは、前記被記録媒体に前記記録画像が記録された状態を、より正確に記録前に想像することができる。
【００１６】
本発明の第６の態様の記録装置は、前記第１から第５のいずれか１つの態様の画像表示装置と、前記記録画像を被記録媒体に記録する記録ヘッドと、を備えることを特徴とする。
【００１７】
本態様の記録装置は、前記透明情報を保持したまま前記画像表示装置の前記表示部に前記記録画像のプレビュー画像を表示する。このため、記録画像のプレビュー画像において、前記プレビュー画像の背景画像の色か前記記録画像に設定された色かを区別することができる。
【００１８】
本発明の第７の態様のプログラムは、記録画像のプレビュー画像を表示部に表示させるプログラムであって、前記記録画像のデータが色情報とは別に透明情報を有している場合に、前記透明情報を保持したまま前記表示部に前記記録画像のプレビュー画像を表示させることを特徴とする。
【００１９】
本態様のプログラムは、前記透明情報を保持したまま前記表示部に前記記録画像のプレビュー画像を表示させる。このため、記録画像のプレビュー画像において、前記プレビュー画像の背景画像の色か前記記録画像に設定された色かを区別することができる。
【００２０】
本発明の第８の態様の表示方法は、記録画像のプレビュー画像を表示部に表示させる表示方法であって、前記記録画像のデータが色情報とは別に透明情報を有している場合に、前記透明情報を保持したまま前記表示部に前記記録画像のプレビュー画像を表示させることを特徴とする。
【００２１】
本態様の表示方法は、前記透明情報を保持したまま前記表示部に前記記録画像のプレビュー画像を表示させる。このため、記録画像のプレビュー画像において、前記プレビュー画像の背景画像の色か前記記録画像に設定された色かを区別することができる。
【図面の簡単な説明】
【００２２】
【図１】本発明の一実施例に係る記録装置を表す概略斜視図。
【図２】本発明の一実施例に係る記録装置のブロック図。
【図３】表示部に表示されるプレビュー画像の記録画像の構成を説明するための分解図。
【図４】表示部に表示されるプレビュー画像を表す図。
【図５】表示部に表示されるプレビュー画像を表す図。
【図６】表示部に表示されるプレビュー画像を表す図。
【図７】表示部に表示されるプレビュー画像の背景画像の指定画面を表す図。
【図８】別の実施例において表示部に表示されるプレビュー画像を表す図。
【発明を実施するための形態】
【００２３】
以下に、本発明の実施例に係る表示装置及び記録装置について、添付図面を参照して詳細に説明する。
【００２４】
下記の実施例では、画像表示装置として記録装置に設けられたタッチパネルを用いて説明しているが、このような構成に限定されない。タッチパネルに限定されるわけではないし、記録装置に設けられる画像表示装置に限定されるわけではない。例えば、画像表示装置として、記録装置と別体のＰＣを好ましく使用でき、表示部としてタッチパネルを有するものや、表示部としてのモニターとユーザーインターフェースとを有するもの等、その構成も特に限定されない。
【００２５】
また、下記の実施例では、記録装置として記録ヘッドからインクを吐出して記録を行うインクジェット記録装置を用いて説明しているが、本発明はインクジェット記録装置に限定されるわけではない。例えば、本発明は転写式の記録装置なども含む。
【００２６】
また、本発明の記録装置は、記録ヘッドに対して被記録媒体の支持部（媒体支持部）を移動する構成である。ただし、本発明の記録装置には媒体支持部を移動させずに、該媒体支持部に対して記録ヘッドを移動させて記録する構成のものも含まれる。更に、記録ヘッドと媒体支持部の両者を移動する構成のものも含まれる。
【００２７】
また、下記の実施例ではいずれも被記録媒体として布帛であるＴシャツを用いて説明しているが、本発明で使用可能な被記録媒体はＴシャツに限定されず布帛に限定されるわけでもない。
【００２８】
［実施例］（図１〜図６）  
図１は、本発明の一実施例に係る記録装置の概略斜視図である。  
本実施例の記録装置１は、図１に示すように、媒体支持部４を備えている。搬送部３は、搬送方向Ａに媒体支持部４を移動することにより、被記録媒体を搬送する。
【００２９】
装置本体２には、記録ヘッド６が備えられている。記録装置１は、キャリッジ５を介して搬送方向Ａと交差する走査方向Ｂに記録ヘッド６を往復移動させながら、記録ヘッド６のインク吐出面Ｆから被記録媒体にインクを吐出させて所望の画像を形成する。
【００３０】
なお、本実施例の記録装置１は、下地層形成用のホワイトインクと、画像形成用のカラーインク（ブラックインク、シアンインク、マゼンタインク及びイエローインク）と、を用いて記録可能である。  
ただし、このような構成に限定されず、例えば、下地層形成用のインクとしてメタリックインクを用いることができ、画像形成用のインクとしてその他の色のインクを用いることができる。
【００３１】
また、本実施例の記録装置１は、記録画像のプレビュー画像を表示する表示部としての役割をし、画像表示装置としての役割をするタッチパネル１９を備えている。
【００３２】
次に、本実施例の記録装置１における電気的な構成について説明する。  
図２は、本実施例の記録装置１のブロック図である。  
制御部１０には、記録装置１の全体の制御を司るＣＰＵ７が設けられている。ＣＰＵ７は、システムバス８を介して、ＣＰＵ７が実行する各種制御プログラムやメンテナンスシーケンス等を格納したＲＯＭ９と、データを一時的に格納可能なＲＡＭ１１と、不揮発性メモリーであるＥＥＰＲＯＭ１２と、に接続されている。
【００３３】
また、ＣＰＵ７は、システムバス８を介して、記録ヘッド６を駆動するためのヘッド駆動部１３と接続されている。  
また、ＣＰＵ７は、システムバス８を介して、キャリッジ５を移動させるためのキャリッジモーター１４及び被記録媒体を搬送するために搬送部３に設けられた搬送モーター１５を駆動させるためのモーター駆動部１６と接続されている。  
さらに、ＣＰＵ７は、システムバス８を介して、記録データ等をＰＣ１７等の外部装置から入力する等のための入出力部１８と接続されている。ここで、入出力部１８はタッチパネル１９とも接続されている。なお、入出力部１８には、ＵＳＢメモリー等の外部記憶装置が接続可能である。記録装置１はＰＣ１７を介さず、入出力部１８に接続された外部記憶装置に記憶されている画像データを読み出して記録を実行する、いわゆるダイレクトプリントを実行可能である。
【００３４】
本実施例の記録装置１は、記録画像のプレビュー画像を表示する表示部としてのタッチパネル１９を備え、タッチパネル１９は、前記記録画像のデータが色情報とは別に透明情報を有している場合に、前記透明情報を保持したままタッチパネル１９に記録画像のプレビュー画像を表示することができる。  
一方、本実施例のＰＣ１７は、記録画像のプレビュー画像を表示する表示部としての不図示のモニターと、不図示のユーザーインターフェースと、を有している。そして、該モニターは、前記記録画像のデータが色情報とは別に透明情報を有している場合に、前記透明情報を保持したまま該モニターに前記記録画像のプレビュー画像を表示することができる。このため、本実施例のＰＣ１７も本発明の画像表示装置に該当する。  
ここで、「前記記録画像のデータが色情報とは別に透明情報を有している場合」とは、例えば、前記データが、一般的な色情報であるＲＧＢ値の情報の他に、透過度パラメーター等の透明情報を有している場合等が挙げられる。なお、透明情報を有していれば、透過度が０のデータを含んでいてもよい。  
また、「前記透明情報を保持したまま」とは、「前記記録画像のデータに前記透明情報があった場合に、該透明情報が色情報に変換されて消滅することなく」という意味である。本実施例では、前記透明情報を保持したままタッチパネル１９及びＰＣ１７のモニターの少なくとも一方にプレビュー画像を表示するので、制御部１０は、前記記録画像のデータの前記透明情報を色情報に変換して消滅させることなく該データをＲＡＭ１１に格納する。
【００３５】
従来、一般的な被記録媒体は白色が多く、記録画像のプレビュー画像の背景画像の色も白色であった。このため、記録画像のプレビュー画像において、前記プレビュー画像の特に淡色で表示される部分の色が、背景画像の色を透過しているのか、背景画像の色を透過しているのではなく前記記録画像に設定された色なのか、が区別できない場合があった。  
本実施例の記録装置１及びＰＣ１７は、前記透明情報を保持したまま前記表示部に前記記録画像のプレビュー画像を表示する。このため、例えば、前記プレビュー画像の背景画像の色を変更すれば、背景画像の色を透過している部分は、前記プレビュー画像の背景画像の色の変更に伴って色が変更される。一方、プレビュー画像のうち背景画像の色を透過しているのではなく前記記録画像に設定された色の部分は、前記プレビュー画像の背景画像の色を変更しても、色が変更されない。したがって、記録画像のプレビュー画像において、前記プレビュー画像の背景画像の色が表示された部分と前記記録画像に設定された色が表示された部分とを区別することができる。
【００３６】
ＲＯＭ９には、記録装置１で使用可能な被記録媒体の形状等の情報が格納されている。また、ＥＥＰＲＯＭ１２は、記録装置１で使用可能な被記録媒体の形状等を新たに追加して格納することができる。  
また、ＲＯＭ９には、タッチパネル１９及びＰＣ１７で表示可能な記録画像のプレビュー画像の背景画像の色が複数格納されている。また、ＥＥＰＲＯＭ１２は、タッチパネル１９及びＰＣ１７で表示可能な記録画像のプレビュー画像の背景画像の色を新たに追加して格納することができる。
【００３７】
本実施例の記録装置１は、タッチパネル１９及びＰＣ１７の少なくとも一方からユーザーにより入力された情報に従い、制御部１０の制御により、記録画像のプレビュー画像の背景画像の色を変更することができる。つまり、制御部１０は、記録画像のプレビュー画像の背景画像の色の変更を受付ける受付け部としての役割を有している。  
このため、記録画像のプレビュー画像において、前記プレビュー画像の背景画像の色か前記記録画像に設定された色かを区別することができる。
【００３８】
なお、画像表示装置の代わりに、本発明のプログラムとして記録画像のプレビュー画像を表示部に表示させるプログラムであって、前記記録画像のデータが色情報とは別に透明情報を有している場合に、前記透明情報を保持したまま前記表示部に前記記録画像のプレビュー画像を表示させることを特徴とするプログラムを用いてもよい。  
このようなプログラムは、本実施例の記録装置１と同様、記録画像のプレビュー画像において、前記プレビュー画像の背景画像の色か前記記録画像に設定された色かを区別することができるためである。  
なお、該プログラムに本実施例の記録装置１の特徴として本明細書に記載された内容を随時盛り込んでもよい。
【００３９】
また、本発明の表示方法として、記録画像のプレビュー画像を表示部に表示させる表示方法であって、前記記録画像のデータが色情報とは別に透明情報を有している場合に、前記透明情報を保持したまま前記表示部に前記記録画像のプレビュー画像を表示させることを特徴とする表示方法を行ってもよい。  
このような表示方法を行うことにより、記録画像のプレビュー画像において、前記プレビュー画像の背景画像の色か前記記録画像に設定された色かを区別することができるためである。  
なお、該表示方法に本実施例の記録装置１の特徴として本明細書に記載された内容を随時盛り込んでもよい。
【００４０】
なお、本実施例の記録装置１は、タッチパネル１９及びＰＣ１７からユーザーにより入力された情報に従い、制御部１０の制御により、記録画像のプレビュー画像の背景画像の色を変更することができる。  
しかしながら、制御部１０に、前記記録画像の記録設定に応じて自動的に前記プレビュー画像の背景画像の色を例えば白と黒とで変更する変更部としての役割を持たせてもよい。そして、この自動的に変更された色を前記プレビュー画像の背景画像の色として受付けさせる。  
ここで、「前記記録画像の記録設定」とは、所謂記録モードに対応し、例えば、下地用のホワイトインクと画像形成用のカラーインクとを用いて記録する記録装置に使用される場合、ホワイトインクのみ使用して記録するモード、ホワイトインクとカラーインクとを使用して記録するモード、カラーインクのうちいずれかの色のみを用いて記録するモード等が挙げられる。例えば、ホワイトインクのみ使用して記録するモードで記録する場合に、背景画像の色を白とすると記録画像を認識しづらいので、このような場合、自動的に背景画像の色を黒にする構成としてもよい。なお、該記録設定は、ユーザーがユーザーインターフェース等を用いて行うことができる。  
このような構成とすることにより、記録画像のプレビュー画像において、前記プレビュー画像の背景画像の色か前記記録画像に設定された色かを区別するための前記プレビュー画像の背景画像の色の変更を自動的に行うことができる。
【００４１】
次に、表示部としてのタッチパネル１９及びＰＣ１７のモニターに表示されるプレビュー画像について詳細に説明する。下記の説明においては、表示装置として記録装置１のタッチパネル１９を用いて説明するが、ＰＣ１７のモニターでも同様に表示することができる。  
図３は表示部に表示されるプレビュー画像の記録画像の構成を説明するための分解図であり、図４〜図６は表示部に表示されるプレビュー画像を表す図である。
【００４２】
図３で表されるように、タッチパネル１９に表示されるプレビュー画像２０の記録画像は、被記録媒体に記録を行う画像である画像２４ａ、２４ｂ、２４ｃを構成する記録画像層２１、被記録媒体（Ｔシャツ）である背景画像２５を構成する背景画像層２２、被記録媒体の色（背景色）を構成する背景色層２３、の３層で構成される。  
なお、画像２４ａ、２４ｂ、２４ｃは、夫々色の異なる円形の記録画像である。
【００４３】
図４は、図３で表される記録画像層２１、背景画像層２２及び背景色層２３を重ねて表示したものであり、タッチパネル１９のプレビュー画像２０にはこのように表示される。  
図４で表されるプレビュー画像２０においては、背景色層２３の色である被記録媒体の色は、画像２４ａ、２４ｂ、２４ｃの何れの色とも異なっている。このため、画像２４ａ、２４ｂ、２４ｃは何れも明確である。
【００４４】
しかしながら、背景色層２３の色である被記録媒体の色と画像２４ａ、２４ｂ、２４ｃの何れかの色とが同一又は同系統の色である場合、該背景色層２３の色と同一又は同系統の色である画像は不明確となる。  
図５は、背景色層２３の色と画像２４ｃとの色が同一の場合のプレビュー画像２０を表している。
【００４５】
図５で表されるように、画像２４ｃは背景色層２３の色と同一であるため不明確である。  
しかしながら、本実施例の記録装置１は、前記記録画像のデータが色情報とは別に透明情報を有している場合に、前記透明情報を保持したままタッチパネル１９に記録画像のプレビュー画像２０を表示することが可能である。本実施例の記録装置１は、背景色層２３の色を変更することにより、画像２４ｃが背景画像２５の色を透過している部分に対応するのか、背景画像２５の色を透過しているのではなく設定された色の部分に対応するのか、を簡単に判別することができる。  
具体的には、図５で表されるプレビュー画像２０の背景色層２３の色を他の色に変更した時に、図４のように表される場合（画像２４ｃの色が維持される場合）は、画像２４ｃは背景画像２５の色を透過しているのではなく設定された色の部分に対応するということがわかる。  
一方、図５で表されるプレビュー画像２０の背景色層２３の色を他の色に変更した時に、図６のように表される場合（画像２４ｃの色が背景色層２３の色に連動して変化する場合）は、画像２４ｃは背景画像２５の色を透過している部分に対応するということがわかる。
【００４６】
また、図４〜図６で表されるように、本実施例の記録装置１では、タッチパネル１９は、プレビュー画像２０の背景画像２５としての被記録媒体の形状を表示可能である。また、タッチパネル１９は、被記録媒体における記録画像の記録位置をプレビュー画像２０に表示可能である。すなわち、背景画像２５に対して画像２４ａ、２４ｂ、２４ｃがどこに位置するかをプレビュー画像２０に表示可能である。  
このため、ユーザーは、被記録媒体に記録画像が記録された状態を、より正確に記録前に想像することができる。  
さらに、背景画像２５に対する画像２４ａ、２４ｂ、２４ｃの位置及び大きさをタッチパネル１９上で変更することもできる。
【００４７】
また、図４〜図６で表されるように、本実施例の記録装置１では、プレビュー画像２０の被記録媒体の色の変更を受付ける受付け部を備え、タッチパネル１９は、被記録媒体の色と該被記録媒体の周囲３１の色とを異ならせて表示可能である。具体的には、背景色の色（背景色層２３の色）と、被記録媒体の周囲３１の色と、を独立して変更可能な構成になっている。  
このため、ユーザーは、被記録媒体の色をその周囲の色と異ならせて表示させることにより、被記録媒体に記録画像が記録された状態を、より正確に記録前に想像することができる。  
本実施例では、背景画像層２２を設け、背景画像層２２を、被記録媒体の形状をした半透明の背景画像２５と、該被記録媒体の周囲３１を構成する背景画像２５の周囲の部分と、で構成している。このような構成により、本実施例の記録装置１は、被記録媒体の形状、被記録媒体の色（背景色層２３の色）、被記録媒体の周囲３１の色を簡単に変更して表示できる。ただし、このような構成に限定されない。
【００４８】
被記録媒体の形状の表示及び被記録媒体の色の変更について以下に具体的に説明する。  
図７は、タッチパネル１９に表示されるプレビュー画像２０の背景画像２５の指定画面２６を表す図である。
【００４９】
プレビュー画像２０の背景画像２５の指定画面２６には、背景画像２５の背景色を指定可能なプルダウンボタン２７、被記録媒体形状を指定可能なプルダウンボタン２８等が設けられている。これらのプルダウンボタン２７及びプルダウンボタン２８等を用いて、ユーザーは、背景画像２５の背景色及び被記録媒体形状等を指定することができる。
【００５０】
また、図４〜図６で表されるようなプレビュー画像において、記録画像を記録可能な位置を被記録媒体中に明確に表すための領域を表示してもよく、さらに、記録画像の大きさをユーザーが認識しやすいように、スケールを表示してもよい。  
図８は、これらを表示可能にした、上記実施例とは別の実施例において表示部に表示されるプレビュー画像を表す図である。
【００５１】
図８で表されるように、本実施例のプレビュー画像２０は、記録画像を記録可能な位置を被記録媒体中に明確に表すための領域２９と、スケール３０とが表示されている。記録装置１が様々なサイズの媒体支持部４を使用可能な場合、そのサイズに合わせて領域２９の大きさを変更して表示させてもよい。また、本実施例のプレビュー画像２０では、スケール３０は、記録画像を隠すことが無いよう領域２９の左側にのみ表示されている。しかしながら、スケールを、領域２９の上側又は下側にも表示できるようにしてもよく、領域２９の全体にわたって例えば格子状に表示させてもよい。
【符号の説明】
【００５２】
１  記録装置、２  装置本体、３  搬送部、４  媒体支持部、５  キャリッジ、
６  記録ヘッド、７  ＣＰＵ、８  システムバス、９  ＲＯＭ、１０  制御部、
１１  ＲＡＭ、１２  ＥＥＰＲＯＭ、１３  ヘッド駆動部、
１４  キャリッジモーター、１５  搬送モーター、１６  モーター駆動部、
１７  ＰＣ、１８  入出力部、１９  タッチパネル、２０  プレビュー画像、
２１  記録画像層、２２  背景画像層、２３  背景色層、
２４ａ、２４ｂ、２４ｃ  画像（記録画像）、２５  背景画像、
２６  プレビュー画像２０の背景画像２５の指定画面、
２７  背景画像２５の背景色を指定可能なプルダウンボタン、
２８  被記録媒体形状を指定可能なプルダウンボタン、２９  領域、３０  スケール、
３１  被記録媒体の周囲
【図１】
2015049257.tif 000003
【図２】
2015049257.tif 000004
【図３】
2015049257.tif 000005
【図４】
2015049257.tif 000006
【図５】
2015049257.tif 000007
【図６】
2015049257.tif 000008
【図７】
2015049257.tif 000009
【図８】
2015049257.tif 000010